(57)【要約】【課題】消費者が購入する前に店頭等で陳列されている状態において、容器の上面に形成された開口穴から収納されている輪ゴムの種類を視認できる輪ゴム入り容器を提供する。【解決手段】白、黒及びその他の色に着色された多種類の輪ゴムが容器に収容されている輪ゴム入り容器１であって、容器は各着色輪ゴムごとに仕切部６により仕切られた収容室Ａ〜Ｃを有し、白及び黒及びその他の色に着色された輪ゴムが、色別に、収容室に収納されており、各収容室の上部２に開口部７がそれぞれ開口して設けられているとともに、開口部は透明シート８で内側から閉塞され、透明シートを通して収容室に収納されている着色輪ゴムを視認できることを特徴とする着色輪ゴム入り容器。【選択図】図１
0003136388.tif 000002
【実用新案登録請求の範囲】
【請求項１】
白、黒及びその他の色に着色された多種類の輪ゴムが容器に収容されている輪ゴム入り容器であって、該容器は各着色輪ゴムごとに仕切部により仕切られた収容室を有し、
前記白及び黒及びその他の色に着色された輪ゴムが、色別に、前記収容室に収納されており、
前記各収容室の上部に開口部がそれぞれ開口して設けられているとともに、
該開口部は透明シートで内側から閉塞され、
前記透明シートを通して収容室に収納されている着色輪ゴムを視認できることを特徴とする着色輪ゴム入り容器。
【請求項２】
前記多種類の輪ゴムが、白、黒及びワイン色であり、
前記収容室が３室であることを特徴とする請求項１に記載の着色輪ゴム入り容器。
【請求項３】
前記多種類の輪ゴムが、白、黒、金及び銀色であり、
前記収容室が４室であることを特徴とする請求項１に記載の着色輪ゴム入り容器。
【考案の詳細な説明】
【技術分野】
【０００１】
本考案は、包装の止め具や頭髪を機敏に結ぶために用いる着色輪ゴム入り容器に関する。
さらに詳しくは、多種類の着色輪ゴムが収容され、容器の収容室の上面に形成された開口部をセロハンなどの透明シートで閉塞し、収容室に収納されている着色ゴムの種類が視認できるように構成された着色輪ゴム入り容器に関する。
【背景技術】
【０００２】
従来、例えば頭髪を結束するための輪ゴムは、長尺のゴム芯入り組紐を所定の長さに切断し、両端を繋ぎ合わせてリング状にしたものが広く用いられている。このようなゴム芯入り組み紐からなるリングは、繋ぎ合わせた部分が盛り上がり、美感を損ねるという問題があり、盛り上がりを形成させないために、例えば下記特許文献１（特開平８−３０８６２８号公報）に記載されるように両端を接着させたゴム芯入り組み紐リングも提供されている。
また、これらの輪ゴムを収納する容器は、包装箱本体の上面に円形の軌道を描いてミシン目等の開裂線が形成され、そのミシン目を開裂させて輪ゴムを取り出すための取出口を形成し、その取出口から必要に応じて輪ゴムを１つずつ取り出すことができるように構成されていた。
【０００３】
このような輪ゴム用包装箱は、ミシン目で包囲された包装箱本体の上面を指等で押圧することにより、ミシン目を開裂させて輪ゴムの取出口を形成することができるため、その取出口を形成する作業を非常に容易に行うことができる。
【０００４】
従って、上記のようなミシン目を包装箱本体の上面に形成しただけの簡易な構造でありながら、作業性、利便性に優れたものであるために、このような輪ゴム用包装箱の形態も従来より定型化されたものとして長年にわたって使用されている。
【特許文献１】特開平８−３０８６２８号公報
【考案の開示】
【考案が解決しようとする課題】
【０００５】
しかし、上記のように簡易な操作でミシン目を開裂させて取出口を形成することができるため、輪ゴム用包装箱が店頭等で陳列されているときに、悪戯等で不正にミシン目を開裂されることがあった。また、収容物である輪ゴムはミシン目を開裂させない限り包装箱本体の外側から視認することができないため、来店した消費者が商品確認のため（輪ゴムを見るため）、ミシン目を開裂させるようなこともなされていた。
【０００６】
このようにミシン目が一旦開裂されていまうと修復は不可能であるため、消費者が輪ゴム用包装箱を購入する以前に上記のような不正なミシン目の開裂がなされると、輪ゴム用包装箱の商品価値が全くなくなることになる。
【０００７】
本考案は、上述のような問題点を解決するためになされたもので、消費者が購入する前に店頭等で陳列されている状態において、容器の上面に形成された開口穴から
収納されている輪ゴムの種類を視認できる輪ゴム入り容器を提供することを課題とする。
【課題を解決するための手段】
【０００８】
（１）本考案の着色輪ゴム入り容器は、白、黒及びその他の色に着色された多種類の輪ゴムが容器に収容されている輪ゴム入り容器であって、該容器は各着色輪ゴムごとに仕切部により仕切られた収容室を有し、前記白及び黒及びその他の色に着色された輪ゴムが、色別に、前記収容室に収納されており、前記各収容室の上部に開口部がそれぞれ開口して設けられているとともに、該開口部は透明シートで内側から閉塞され、前記透明シートを通して収容室に収納されている着色輪ゴムを視認できることを特徴とする。
（２）本考案の着色輪ゴム入り容器は、前記（１）において、前記多種類の輪ゴムが、白、黒及びワイン色であり、前記収容室が３室であることを特徴とする。
（３）本考案の着色輪ゴム入り容器は、前記（１）において、前記多種類の輪ゴムが、白、黒、金及び銀色であり、前記収容室が４室であることを特徴とする。
【考案の効果】
【０００９】
現在、黄土色の輪ゴムが多く用いられているが、黒色輪ゴムは、頭髪の結束用その他に使用可能であり、白色輪ゴムは、例えばデパートやスーパーのお総菜売り場の高級食材のプラスティック容器を留める等の用途に使用した場合、清潔感があり消費者の購買意欲を増進し、非常に好適である。
本考案の着色輪ゴム入り容器によれば、白、黒及びその他の色に着色された多種類の輪ゴムごとに仕切部により仕切られた収容室を有し、白及び黒及びその他の色に着色された輪ゴムが、色別に、収容室に収納されており、各収容室の上部に開口部がそれぞれ開口して設けられているともに、開口部は透明シートで内側から閉塞されているので、透明シートを通して収容室に収納されている着色輪ゴムを視認でき、頭髪の結束用、包装袋の留め具用など、使用者の意図に応じて適宜色別の着色輪ゴムを容易に取り出すことができる。
【考案を実施するための最良の形態】
【００１０】
以下、本考案の実施の形態ついて図面に従って説明する。
（実施形態１）
図１は実施形態１の着色輪ゴム入り容器である。図１において、１は、紙製の着色輪ゴム入り容器で、全体が略直方体状に形成されている。図１の容器１は、容器の上面を構成する上部２と、該上部２に連設され表裏１対の長手方向の側面部３，３と、左右１対の短手方向の側面部４，４と、容器の底面を構成する底面部５と、容器を複数の収容室に仕切る垂直の仕切部６、６とで構成されている。
【００１１】
そして、容器１は、仕切部６、６によって容器１を長手方向に３つに仕切られ、３つの収容室Ａ，Ｂ，Ｃに区分けされている。
また、各収容室の上部２には、輪ゴム取り出し口としての開口部７，７，７がそれぞれ開口して設けられている。
【００１２】
さらに、開口部７は透明シート８で内側から閉塞されており、収容されている輪ゴムが放出されないようになっているとともに、透明シート８を通して収容室に収納されている着色輪ゴムを視認できるようになっている。
透明シート８は、一枚の横長のものを容器１の内側から開口部７，７，７を閉塞するように貼着することができる。
【００１３】
図１に示す実施形態の容器１の大きさの一例としては、横（幅）１１１ミリメートル、縦（奥行き）７４ミリメートル、深さ３５ミリメートルである。
その仕切られた各収容室内部には、白、黒、ワイン色に着色された輪ゴムがそれぞれ収容されている。
輪ゴムの一例としては、その大きさが直径約５ｃｍ、幅および高さは約１ｍｍであり、その材質は天然イソプレンゴムである。
【００１４】
図１に示す実施形態において、輪ゴムを収容室から取り出すためには、各収容室の上部２に設けられた開口部７を閉塞しているセロハンなどの透明シート８を引き裂き、開口部から指を差し入れて輪ゴムを取り出すことができる。
あるいは、別途、図示しないフック形状の取り出し具を用いて取り出すことも可能である。
開口部７は各収容室Ａ，Ｂ，Ｃの上部２の中心部に設けられており、開口部７の直径の一例としては２６ミリメートルが好適である。
【００１５】
容器の材質としては紙が好ましく適用されるが、特に制限はなく、その他、プラスチック、木、金属等、あらゆる素材を用いることができる。
紙製、木製等の場合、製造が簡易であるが、例えば透明プラスチックにすることも内容物の残量等が確認できるため好ましい。
【００１６】
前記容器１の形状には特に制限はないが、製造が簡単な直方形が好ましい。前記容器には、着色輪ゴムを区別して収容するための収容室内に仕切部６が設けられており、該仕切部によって収容室が仕切られた結果、３種類（白、黒、ワイン色）の着色輪ゴムを収容するための３つの収容室Ａ，Ｂ，Ｃを有している。
仕切部６は、容器１の底面部５から上部２にかけて容器を垂直分断するものであることが、着色輪ゴムが混ざらない点から好ましい。
【００１７】
収容室に収容される着色輪ゴムとしては、一般的に広く使用されている輪ゴムを使用することができる。材料としては、天然ゴムの他、合成ゴムも使用することができる。
弾性及び耐磨耗性など機械的強度が大きいゴムであれば特に制限はないが、合成ゴムの具体例としては、イソプレンゴム、ブタジエンゴム、スチレンブタジエンゴム、クロロプレンゴム、アクリロニトリルブタジエンゴム等のジエン系ゴム、或いは、ブチルゴム、エチレンプロピレンゴム、ウレタンゴム、シリコーンゴム、クロロスルフォン化ゴム、塩素化ポリエチレン、アクリルゴム、エピクロルヒドリンゴム、フッ素ゴム等の非ジエン系ゴムを使用することができる。
【００１８】
これらの輪ゴムは、３種類（白、黒、ワイン色）の色に着色されている。通常、天然ゴムからなる輪ゴムは本来の色である黄土色を呈しているが、色素や顔料等をゴム原料に混合することにより白、黒、ワインの３色に着色されている。その他、赤・青・緑・金・銀など、様々な色に着色することも可能である。
【００１９】
ゴムの着色に使用できる顔料としては一般に用いられている物を適宜使用することができるが、白色顔料としては亜鉛華、鉛白、リトポン、二酸化チタン、黒色顔料としてはカーボンブラック、を各々使用することが可能である。ちなみに、赤色顔料としては場鉛丹、弁柄、黄色顔料としては黄鉛（クロムイエロー）、亜鉛黄（ジンククロメート、ジンクイエロー）、青色顔料としては群青（ウルトラマリン）、紺青（プルシアンブルー）、を各々使用することが可能である。
【００２０】
（実施形態２）
図２は、本考案の他の実施形態２を示す着色輪ゴム入り容器である。図２に示す容器１１は、長手方向に収容室が４つ（Ａ〜Ｄ）連結されている点で実施形態１の容器と異なる。各収容室Ａ〜Ｄの大きさは、実施形態１の１つの収容室と同じ大きさを有するので、容器１１の長手方向が収容室１つ分大きい寸法となっている。
【００２１】
（実施形態３）
図３は、本考案の他の実施形態３を示す着色輪ゴム入り容器である。図３に示す容器２１は、長手方向に収容室が６つ（Ａ〜Ｆ）連結されている点で実施形態１の容器と異なる。すなわち、実施形態１の容器を２列並べたものとなっている。
各収容室Ａ〜Ｆの大きさは、実施形態１の１つの収容室と同じ大きさを有するので、容器２１の奥行き方向が収容室１つ分大きい寸法となっている。
なお、各収容室Ａ〜Ｆに収容する輪ゴムの色は特に規定するものではなく、使用目的に合わせて決定できる。
【００２２】
（実施形態４）
図４は、本考案の他の実施形態４を示す着色輪ゴム入り容器である。図４に示す容器３１は、長手方向に収容室が９つ（Ａ〜Ｉ）連結されている点で実施形態１の容器と異なる。すなわち、実施形態１の容器を３列並べたものとなっている。
各収容室Ａ〜Ｉの大きさは、実施形態１の１つの収容室と同じ大きさを有するので、容器２１の奥行き方向が収容室２つ分大きい寸法となっている。
本実施形態においても、各収容室Ａ〜Ｉに収容する輪ゴムの色は特に規定するものではなく、使用目的に合わせて決定できる。
【００２３】
なお、前述した実施形態は、本考案の実施例であり、容器や収容室のサイズ、収容室の連結方向・連結数は、使用目的などで自由に決定できる。また、収容室の一部を開口して、仕切部を収容室から出したり入れたりができるようにすることもできる。
【産業上の利用可能性】
【００２４】
以上述べたとおり、本考案の着色輪ゴム入り容器によれば、着色輪ゴムを、頭髪の結束用、包装袋の留め具用など、１つの容器を用途に応じて区分けして収容でき、透明シートを通して中身が視認できるので、極めて産業上の利用可能性が高い。
【図面の簡単な説明】
【００２５】
【図１】本考案の着色輪ゴム入り容器の実施形態１を示す斜視図である。
【図２】本考案の着色輪ゴム入り容器の実施形態２を示す斜視図である。
【図３】本考案の着色輪ゴム入り容器の実施形態３を示す斜視図である。
【図４】本考案の着色輪ゴム入り容器の実施形態４を示す斜視図である。
【符号の説明】
【００２６】
１，１１，２１，３１  着色輪ゴム入り容器
２  上部
３  側面部
４  側面部
５  底面部
６  仕切部
７  開口部
８  透明シート
Ａ〜Ｉ 収容室
【図１】
0003136388.tif 000003
【図２】
0003136388.tif 000004
【図３】
0003136388.tif 000005
【図４】
0003136388.tif 000006